(57)【要約】【課題】  導光板１と光学シート２と発光体素子３を実装する第一基板４などから構成されるバックライトユニットと、前記バックライトユニットに重ねて配置する表示素子７からなる表示装置において、光学特性、耐衝撃性の向上を実現する。【解決手段】  光学シート２と第一基板４は、剛体スペーサー１０と枠体６の受け台５とで挟み込んで固定し、表示素子７は、剛体スペーサー１０と両面テープ１４で固定した。これにより、バックライトユニットの剛性を高めと同時に、光学シート２の反りや表示素子の浮きを防止することが出来る。【選択図】  図１
2007171568.tif 000002
【特許請求の範囲】
【請求項１】
光源からの光を表示素子に導く導光板と、
前記導光板と前記表示素子の間に設けられた光学シートと、
前記導光板の側面に配置され、発光体素子と第一基板を有する発光体ユニットと、
前記導光板と前記発光体ユニットを収納する開口部と、対向する側壁下方に受け台を有する枠体と、を備え、
前記光学シートと前記第一基板は、前記表示素子の下面に配置された剛体スペーサーと前記受け台で挟まれて固定されたことを特徴とする表示装置。
【請求項２】
前記剛体スペーサーには張り出し部が形成され、前記枠体の内面には形成された溝部と勘合することを特徴とする請求項１に記載の表示装置。
【請求項３】
前記剛体スペーサーの側壁に形成された穴部もしくは突起部が前記枠体の外面に形成された突起部もしくは穴部に勘合することを特徴とする請求項１に記載の表示装置。
【請求項４】
前記剛体スペーサーには、光を透過する透明部材を用いたことを特徴とする請求項１〜３のいずれか一項に記載の表示装置。
【請求項５】
前記剛体スペーサーには、前記第一基板より熱伝導率の高い剛体部材を用いたことを特徴とする請求項１〜４のいずれか一項に記載の表示装置。
【請求項６】
前記剛体スペーサーには、前記第一基板より熱放射率の高い剛体部材を用いたことを特徴とする請求項１〜４のいずれか一項に記載の表示装置。
【請求項７】
前記第一基板は、前記剛体スペーサーに粘着固定されたことを特徴とする請求項１〜６のいずれか一項に記載の表示装置。
【発明の詳細な説明】
【技術分野】
【０００１】
本発明は、バックライトユニットに表示素子を組み合わせた表示装置に関する。詳しくは、バックライトユニットの光学シートと発光体ユニットの第一基板を、剛体スペーサーと枠体の受け台とで挟み込み固定し、剛体スペーサー上面側に表示素子を配置した表示装置に関するものである。
【背景技術】
【０００２】
側壁下方に溝部を有する枠体に、前記溝部に勘合する張り出し部を有する拡散シートを湾曲して組み込み、前記拡散シート上に配置される両面テープで、液晶表示パネルを固定する液晶表示装置のバックライト構造が知られている（例えば、特許文献１参照）。
【０００３】
また、拡散シートの周辺端部および樹脂フレームの上面を覆うように遮光性テープを貼り付け、拡散シートと樹脂フレームを固定する構造が知られている（例えば、特許文献２参照）。
【特許文献１】特開２００３−１９５２６５号公報（第２頁、図１）
【特許文献２】特開２００１−０９１９４５号公報（第２頁、図２、３）
【発明の開示】
【発明が解決しようとする課題】
【０００４】
従来の表示装置は、バックライトユニットの光学シート上面外周部に配置した両面テープで、表示素子を固定する構造が採られていた。また、光学シートは外周に張り出し部が設けられ、枠体に設けられた溝部に勘合固定する構造と、光学シート張り出し部を含む外周部を両面テープで枠体に固定する構造が採られていた。
【０００５】
一方、表示素子に接続した第二基板は、バックライトユニット側面を巻き込むように裏平面に配置される。そのため、曲げられた第二基板には、形状を元に戻そうとする反発力が発生する。その反発力は、表示素子と両面テープを介して、常に光学シートを持ち上げようとする力になっている。近年、基板の多層化、光学シートの薄型化、表示素子の狭額縁化が加速している。その結果、従来構造においては基板反発力の増大と光学シート弾性力の低下による光学シートの反りや両面テープの面積不足による枠体からの剥がれなどが課題となっている。
【０００６】
そこで、本発明は、バックライトユニットの光学シートの反りと両面テープの剥がれによる表示素子の浮きを防止し、安定した光学特性を有する表示装置を安価に提供することを目的とする。
【課題を解決するための手段】
【０００７】
本発明の表示装置は、光学シートと第一基板を、表示素子下面に配置した剛体スペーサーと枠体の受け台とで外周部を挟み込み固定する構造とした。このような構造によれば、光学シートと第一基板をしっかり固定することが可能となる。また、表示素子固定に用いる両面テープを、密着性の良好な剛体スペーサーの上面に配置することが可能となり、光学シートの反りや両面テープの剥がれなどを防止することが出来る。
【発明の効果】
【０００８】
本発明の表示装置では、光学シートと第一基板を、表示素子下面に配置した剛体スペーサーと枠体の受け台とで外周部を挟み込み固定し、表示素子固定に用いる両面テープは、光学シートではなく、剛体スペーサーの上面配置している。したがって、第二基板の反発力は光学シートには加わらず、光学シートの反りを防止することが出来る。また、両面テープを配置する剛体スペーサー上面と表示素子下面は、平坦度の良好な単一平面であるため、両面テープ密着性が向上し、安定した固定構造を実現できる。
【発明を実施するための最良の形態】
【０００９】
本発明の表示装置は、導光板の平面に重ねて配置する光学シートと、発光体を実装する第一基板を、枠体の対向する側壁下方に設けた受け台と剛体スペーサーで挟み込み固定したバックライトユニットとした。一方、表示素子はバックライトユニットの剛体スペーサー上面外周部に配置した両面テープで固定する構造とした。
【００１０】
このような構造によれば、光学シートは両面テープを用いることなく、しっかりと固定できる。また、枠体と剛体スペーサーのそれぞれに契合部を設けて固定すれば、取り外し可能な構造となり、バックライトユニットの交換を容易にすることも出来る。さらに、表示素子固定用の両面テープは、剛体スペーサー上面外周部に配置しているため、光学シートに第二基板の反発力が加わらず、安定した光学特性を有する表示装置となる。
【００１１】
より具体的には、表示素子下面側に剛性スペーサーを配置し、光学シートと第一基板を枠体の側壁下方に設けた受け面と剛体スペーサーとで挟み込むことで、光学シート固定用粘着テープが不要となる。さらに、枠体と剛体スペーサーには、それぞれ契合部を設けた固定構造のため、剛体スペーサーを取り外した状態で、光学シートなどのバックライトユニットの部品交換も可能となる。
【００１２】
一方、表示素子は、光学シート上面に配置した剛体スペーサーと両面テープで固定する構造とした。このような構造にすれば、第二基板からの反発力は光学シートに影響を与えないため、光学シートの反りや浮きを防止できる。また、両面テープは、密着性の高い表示素子下面と剛体スペーサー上面に貼り付けられるため、表示素子の浮きを防止した安定した固定構造が可能となる。
【００１３】
また、剛体スペーサーをバックライトユニットに組み込むことで、ねじり、反りなどのバックライトユニットの剛性は、飛躍的に向上する。
【００１４】
さらに、光学シートと第一基板は、断面高さに違いがあっても、剛体スペーサーに曲げ部を設けることで、スペーサー部材を追加することなく、安定した固定構造が実現可能となる。
【００１５】
以下、表示素子に液晶表示素子を用いた実施例について、図面を参照して説明する。
【実施例１】
【００１６】
本実施例の液晶表示装置を、図１及び図２に基づいて説明する。図示するように、導光板１の平面に重ねて配置される光学シート２と、導光板１の側面に配置される発光体素子３と第一基板４からなる発光体ユニットの上面には、開口部１５を有する剛体スペーサー１０が配置されている。剛体スペーサー１０には、断面的な高さの違う光学シート２と第一基板４に密着させるため、曲げ部１３を設けている。また、光学シート２と第一基板４は、枠体６の対向する側壁下方に設けられた複数の受け台５と剛体スペーサー１０で挟まれて配置され、剛体スペーサー１０には、張り出し部１２設け、枠体６に設けられた溝部１１と勘合している。そして、表示素子７と剛体スペーサー１０の間には、両面テープ１４を配置している。そして、表示素子７に接続した第二基板９は、バックライトユニット側面を巻き込みバックライトユニット裏平面に配置している。
【００１７】
このような構成にすれば、光学シート２と第一基板４は、固定用両面テープを用いずに剛体スペーサー１０で固定することができる。また同時に、枠体６と剛体スペーサー１０は、取り外し可能に勘合しているため、バックライトユニット部品は、容易に交換できる。そして、第二基板９からの反発力は、高い剛性を有する前記剛体スペーサー１０で受けるため、光学シート２の反りや浮きを防止し、安定した光学特性を得ることが出来る。さらに、前記剛体スペーサー１０を、バックライトユニットに組み込むことで、剛性が飛躍的に向上し、耐衝撃性の向上も図れる。
【実施例２】
【００１８】
本実施例の表示装置の構造を、図３及び図４に基づいて説明する。本実施例は、枠体外面に形成した突起部１６と剛性スペーサーの側壁に設けた穴部１７とで、勘合固定している点で実施例１と異なっている。すなわち、図３及び図４は、剛体スペーサー１０に側壁を設け、枠体外面に勘合部を設けた構造を示している。実施例１と同様に、導光板１の平面に重ねて配置される光学シート２と、導光板１の側面に配置される発光体素子３と第一基板４からなる発光体ユニットの上面には、開口部１５を有する剛体スペーサー１０が配置されている。剛体スペーサー１０には、断面高さの違う光学シート２と第一基板４に密着させるため、曲げ部１３を設けている。また、光学シート２と第一基板４は、枠体６の対向する側壁下方に設けられた複数の受け台５と剛体スペーサー１０で挟まれている。剛体スペーサー１０と枠体６は分解可能に固定されている。そして、表示素子７は、両面テープ１４で剛体スペーサー１０に固定され、表示素子７に接続した第二基板９は、バックライトユニット側面を巻き込むように裏平面に両面テープなどで固定される。
【００１９】
このような構造にすれば、実施例１と同様に、光学シート２と第一基板４は両面テープを用いることなく固定が可能になり、取り外し可能に勘合固定された剛体スペーサー１０を用いることで、修理のための部品の交換も可能となる。また、平坦度の良好な表示素子７の下面と剛体スペーサー１０との間に両面テープを配置しているため、表示素子７の固定力も飛躍的に向上できる。さらに、バックライト部品として、高い剛性を有する剛体スペーサー１０を用いることで、第二基板９からの反発力による光学シート２の反りや浮きを防止すると共に、バックライトの耐衝撃性の向上も図れる。
【実施例３】
【００２０】
本実施例の表示装置では、剛体スペーサー１０は、第一基板４よりも高い熱伝達率もしくは、高い熱放射率を有する材質を用いている。さらに第一基板４と剛体スペーサー１０の間には、粘着部１８を設けた構成としている。本実施例の表示装置の構成を、図５に基づいて説明する。図５に示す表示装置は、剛体スペーサー１０に高い剛性と、第一基板４より高い熱伝達率、または、高い熱放射率を有する材質を用いている。具体的には、ステンレス、アルミ合金、グネシウム合金、セラミックなどを剛体スペーサー１０に用いた場合の実施例である。また、第一基板４と剛体スペーサー１０の間には粘着部１８を設け空気層を排除し、密着性をさらに向上させた構成としている。そして、前記剛体スペーサー１０には穴部１７を有する側壁を設け、枠体６の外面に設けた突起部１６と勘合固定している。
【００２１】
このような構成にすれば、発光体素子３で発生する熱は、第一基板４から粘着部１８を介して、剛性スペーサー１０に伝熱される。さらに、その熱は前記剛体スペーサー１０の側壁から外部に効率良く放熱される。この放熱作用で発光体から電子部品や表示素子へ伝熱される熱を極力抑え、電子部品の性能劣化や表示素子の表示品位低下などを防止することが可能となる。さらに、前記第一基板４の全面を前記剛体スペーサー１０と粘着固定しているため、衝撃などによる位置ずれを確実に防止することも可能となる。これ以外の構成は実施例２と同等であるため、詳細な説明は省略する。
【実施例４】
【００２２】
本実施例の表示装置では、剛体スペーサー１０には、高い透過率を有する透明部材を用い、開口部を削除した構成としている。本実施例の表示装置の構成を、図６、図７に基づいて説明する。
【００２３】
図６に示す表示装置は、剛体スペーサー１０に高い透過率を有する剛性材質を用いている。具体的には、アクリル、ポリカーボネイトなどを剛体スペーサー１０に用いた場合の実施例である。このような材質を剛体スペーサー１０に用いれば、導光板１からの光は、剛体スペーサーを効率良く透過するため、開口部を削除することが可能となる。これ以外の構成は基本的に実施例１と同等であるため、詳細な説明は省略する。
【００２４】
図７に示す表示装置と図６に示す表示装置との相違は、剛体スペーサー１０と枠体６との固定構造である。図７に示す表示装置は、実施例２と同様に、枠体外面に形成した突起部１６と剛性スペーサーの側壁に設けた穴部１７とで、勘合固定している。これ以外の構成は基本的に図６の表示装置と同等であるため、詳細な説明は省略する。
【００２５】
このような構成によれば、剛体スペーサー１０には開口部がないため、剛性は大幅に向上する。したがって、剛体スペーサー１０の厚みを薄くしても充分な強度を保つことが可能で、表示装置の薄型化を容易に実現できる。さらに光学シート２の全面を剛体スペーサー１０で押さえているため、導光板１と光学シート２の密着性も向上し、安定した光学特性を実現することが可能となる。
【産業上の利用可能性】
【００２６】
表示装置における安定した固定と同時に、表示光学特性、耐衝撃性の向上を実現できるので、携帯電話などに適用できる。さらに、本発明の表示装置によれば、光学シートの固定に両面テープを用いないことで、バックライトユニット部品の交換を可能にしているため、低コスト化が進む携帯電子機器にも適応することが出来る。
【図面の簡単な説明】
【００２７】
【図１】本発明の表示装置の構成を模式的に示す断面図である。
【図２】本発明の表示装置の構成を模式的に示す断面図である。
【図３】本発明の表示装置の構成を模式的に示す断面図である。
【図４】本発明の表示装置の構成を模式的に示す断面図である。
【図５】本発明の表示装置の構成を模式的に示す断面図である。
【図６】本発明の表示装置の構成を模式的に示す断面図である。
【図７】本発明の表示装置の構成を模式的に示す断面図である。
【符号の説明】
【００２８】
１  導光板
２  光学シート
３  発光体素子
４  第一基板
５  受け台
６  枠体
７  表示素子
８  電子部品
９  第二基板
１０  剛体スペーサー
１１  溝部
１２  張り出し部
１３  曲げ部
１４  両面テープ
１５  開口部
１６  突起部
１７  穴部
１８  粘着部
【図１】
2007171568.tif 000003
【図２】
2007171568.tif 000004
【図３】
2007171568.tif 000005
【図４】
2007171568.tif 000006
【図５】
2007171568.tif 000007
【図６】
2007171568.tif 000008
【図７】
2007171568.tif 000009